(57)【要約】  【課題】    夾雑物並びに油分を有効的に捕捉・捕集することができ、且つ排水路ないしは排水桝からの臭気を有効的に遮断することができる新たな排水用ストレーナを提供すること。  【解決手段】  気体及び液体を通さない材料を用いて排水路や排水桝Ａに設置し得るように形成されたストレーナ本体１の側壁部１ａ及び／又は底壁部１ｂに排水口２を開口形成し、該排水口２に排水路ないし排水桝Ａからの臭気を遮断するための臭気止め蓋３を開閉自在に設け、前記ストレーナ本体１の内部に、当該ストレーナ本体の内部に侵入してきた夾雑物を捕捉するための夾雑物捕捉部材４と油分を吸着するための油分吸着フィルタ５とを互いに離して設置し、更にストレーナ本体の側壁部１ａに、排水口２より上部位置にオーバーフロー用排水口６を開口形成し、該排水口６にも排水路ないし排水桝からの臭気を遮断するための臭気止め蓋７を開閉自在に設けてなる。  【選択図】    図１
0003118235.tif 000002
【実用新案登録請求の範囲】
【請求項１】
気体及び液体を通さない材料を用いて排水路や排水桝に設置し得るように形成されたストレーナ本体の側壁部及び／又は底壁部に排水口を開口形成し、該排水口に排水路ないし排水桝からの臭気を遮断するための臭気止め蓋を開閉自在に設けてなる排水用ストレーナであって、前記ストレーナ本体の内部に、当該ストレーナ本体の内部に侵入してきた夾雑物を捕捉するための夾雑物捕捉部材を２つ以上設置すると共に、各夾雑物捕捉部材の捕捉メッシュを違えて捕捉メッシュの大きさ順に配列してなることを特徴とする排水用ストレーナ。
【請求項２】
気体及び液体を通さない材料を用いて排水路や排水桝に設置し得るように形成されたストレーナ本体の側壁部及び／又は底壁部に排水口を開口形成し、該排水口に排水路ないし排水桝からの臭気を遮断するための臭気止め蓋を開閉自在に設けてなる排水用ストレーナであって、前記ストレーナ本体の内部に、当該ストレーナ本体の内部に侵入してきた夾雑物を捕捉するための夾雑物捕捉部材と油分を吸着するための油分吸着フィルタとを互いに離して設置してなることを特徴とする排水用ストレーナ。
【請求項３】
前記ストレーナ本体の側壁部に、前記排水口より上部位置にオーバーフロー用排水口を開口形成し、該排水口に排水路ないし排水桝からの臭気を遮断するための臭気止め蓋を開閉自在に設けてなる請求項１又は２に記載の排水用ストレーナ。
【請求項４】
前記ストレーナ本体の上部開口部分に、当該上部開口を開閉自在に覆う目隠し部材が設けられている請求項１又は２に記載の排水用ストレーナ。
【請求項５】
前記ストレーナ本体の上部開口部分を覆う目隠し部材が、独立して揺動する複数の短冊片を並行に且つそれぞれ同じ高さ又は高さを違えて配列して形成されている請求項４に記載の排水用ストレーナ。
【考案の詳細な説明】
【技術分野】
【０００１】
本考案は、排水管や排水溝などの排水路や、排水路の中途部に配置される雨水桝（主に雨水を排水する排水路や排水溝に構築される）とか、会所桝（複数の排水路や排水溝が会わさる場所に構築される）とか、汚水桝（主に汚水を排水する排水路や排水溝に構築される）とか、溜桝（雨水や汚水を溜置くことができるように排水溝や排水溝の段差部などに構築される）、などと称される排水桝の内部に設置して、排水路ないしは排水桝の上部開口を蓋っているグレーチング等の桝蓋を通して侵入してきた落葉や紙屑，タバコの吸い殻等の夾雑物を捕捉・捕集するための排水用ストレーナに関するものである。
なお、上記した桝類を、以下、単に排水桝と総称する。
【背景技術】
【０００２】
従来からこの種の排水用ストレーナはいろいろな構造形態のものが提供されているが、簡単な構造でもって夾雑物を確実に捕捉・捕集することができ、且つ排水路を流れる油分を有効的に捕捉し得、更に排水路ないし排水桝から立ち上る臭気を遮断し得る排水用ストレーナは、未だ提供されていないのが現状である。
本願出願人は、このような現状に鑑みて先に、夾雑物並びに油分を有効的に捕捉・捕集することができると共に、排水路ないしは排水桝からの臭気を有効的に遮断し得る排水用ストレーナを提案した（特願２００５−２３０９００参照）。
【０００３】
【特許文献１】特願２００５−２３０９００
【考案の開示】
【考案が解決しようとする課題】
【０００４】
本考案は、夾雑物並びに油分を有効的に捕捉・捕集することができ、且つ排水路ないしは排水桝からの臭気を有効的に遮断することができる新たな排水用ストレーナを提供せんとするものである。
【課題を解決するための手段】
【０００５】
上記の目的を達成する本考案の請求項１に係る排水用ストレーナは、気体及び液体を通さない材料を用いて排水路や排水桝に設置し得るように形成されたストレーナ本体の側壁部及び／又は底壁部に排水口を開口形成し、該排水口に排水路ないし排水桝からの臭気を遮断するための臭気止め蓋を開閉自在に設けてなる排水用ストレーナであって、前記ストレーナ本体の内部に、当該ストレーナ本体の内部に侵入してきた夾雑物を捕捉するための夾雑物捕捉部材を２つ以上設置すると共に、各夾雑物捕捉部材の捕捉メッシュを違えて捕捉メッシュの大きさ順に配列してなることを特徴としたものである。
また、本考案の請求項２に係る排水用ストレーナは、前記ストレーナ本体の内部に、当該ストレーナ本体の内部に侵入してきた夾雑物を捕捉するための夾雑物捕捉部材と油分を吸着するための油分吸着フィルタとを互いに離して設置してなることを特徴としたものである。
更に、本考案の請求項３に係る排水用ストレーナは、前記ストレーナ本体の側壁部に、前記排水口より上部位置にオーバーフロー用排水口を開口形成し、該排水口に排水路ないし排水桝からの臭気を遮断するための臭気止め蓋を開閉自在に設けてなることを特徴としたものである。
また、本考案の請求項４に係る排水用ストレーナは、前記ストレーナ本体の上部開口部分に、当該上部開口を開閉自在に覆う目隠し部材を設けてなることを特徴としたものである。
この際、前記ストレーナ本体の上部開口部分を覆う目隠し部材を、独立して揺動する複数の短冊片を並行に且つそれぞれ同じ高さ又は高さを違えて配列して形成することが好ましい（請求項５）。
【考案の効果】
【０００６】
本考案に係る排水用ストレーナによれば、比較的簡単な構造でもって夾雑物を捕捉・捕集することができると共に、排水路ないしは排水桝からの臭気を有効的に遮断することが出来る。
しかも、請求項１に記載の排水用ストレーナによれば、ストレーナ本体の内部に侵入してきた夾雑物を捕捉するための夾雑物捕捉部材を２つ以上設置すると共に、各夾雑物捕捉部材の捕捉メッシュを違えて捕捉メッシュの大きさ順に配列してなるので、ストレーナ本体内に侵入してきた夾雑物をより一層確実に捕捉・捕集することが可能となる。
【０００７】
そして、特に請求項２に記載の排水用ストレーナによれば、ストレーナ本体の内部に侵入してきた夾雑物を捕捉するための夾雑物捕捉部材と油分を吸着するための油分吸着フィルタとを互いに離して設置してなるので、ストレーナ本体内に侵入してきた夾雑物だけでなく油分をも有効的に捕捉・捕集することが出来る。
【０００８】
そして、請求項３に記載の排水用ストレーナによれば、ストレーナ本体の側壁部に、前記排水口より上部位置にオーバーフロー用排水口を開口形成し、該排水口に排水路ないし排水桝からの臭気を遮断するための臭気止め蓋を開閉自在に設けてなるので、排水量が急激に増えたり或いは夾雑物捕捉部材ないし油分吸着フィルタが目詰まりを来たしたような場合でも、排水はオーバーフロー用排水口を通して排水路ないし排水桝に流出するため、排水がグレーチング等の桝蓋の外部に溢れ出るようなことがなくなる。
【０００９】
また、特に請求項４及び５に記載の排水用ストレーナによれば、ストレーナ本体の上部開口部分に、当該上部開口を開閉自在に覆う目隠し部材が設けられているので、ストレーナ本体の内部に捕捉された夾雑物を外部から目視される恐れが無くなる。
【考案を実施するための最良の形態】
【００１０】
以下、本考案の具体的な好適実施例を図面を参照しながら詳細に説明するが、本考案は図示実施例のものに限定されるものではなく、いろいろなバリエーションが考えられる。
また、各図面を通して同様の構成部材には同じ符号を付し、重複する説明は省略するものとする。
【００１１】
本考案に係る排水用ストレーナは、ストレーナ本体１が気体及び液体を通さない材料を用いて排水路や排水桝Ａに設置し得るように形成され、該ストレーナ本体１の側壁部１ａ及び／又は底壁部１ｂに排水口２が開口形成され、該排水口２には排水路ないし排水桝Ａからの臭気を遮断するための開閉自在な臭気止め蓋３が設けられ、且つストレーナ本体１の内部にはストレーナ本体１の内部に侵入してきた夾雑物を捕捉するための夾雑物捕捉部材４と油分を吸着するための油分吸着フィルタ５が設置され、更にストレーナ本体１の側壁部１ａには、オーバーフロー用排水口６と該オーバーフロー用排水口６を通して上がってくる排水路ないし排水桝からの臭気を遮断するための臭気止め蓋７が開閉自在に設けられていることを特徴とする。
【００１２】
ストレーナ本体１は気体（臭気）及び液体（排水）を通さないステンレス等の金属材料又は硬質性樹脂材料を用いて、当該ストレーナ本体１の内部に侵入してきた夾雑物を受け入れられるように略深皿形状または上部を開放した箱形状に形成され、これらストレーナ本体１に開口された排水口２を通して上ってくる排水路ないし排水桝Ａからの臭気を開閉自在な臭気止め蓋３でもって遮断しようとするものである。
【００１３】
ちなみに、図１に示した実施例では、ストレーナ本体１が上部を開放した箱形状に形成され、その側壁部１ａの左右下部にそれぞれ排水口２が開口形成されている。
なお、ストレーナ本体１の外観形状としては、底壁を備えた円筒形状でも四角形等の角筒形状でも良く、排水路ないし排水桝Ａの上部開口部分の形状（桝蓋設置用段部Ａ１の平面形状）に応じて若しくは任意に形成され、更にその底壁部１ｂは図示例の如く水平状に形成されていても良いし、左右及び／又は前後方向に少し傾斜した状態に形成されていても良い。
【００１４】
また、ストレーナ本体１の内部に設置される夾雑物捕捉部材４は、ストレーナ本体１内に捕集された落葉や紙屑，タバコの吸い殻等の夾雑物を捕捉するためのものであり、捕捉する夾雑物の大きさや性状などに応じて、ステンレス材・鉄材・銅材等の金属材やＦＲＰ・塩化ビニル等の合成樹脂材などからなる網材、またはパンチングメタル材、または排水ドレンのような格子状スリットを有する鋳物材等を用いて、平らな餅焼き網のように形成したり籠形状のように形成され、ストレーナ本体１の内部にあって排水口２を隔てるように一体的又は取外し可能に設けられる。
【００１５】
夾雑物捕捉部材４をストレーナ本体１の内部に設置する場合、１つだけでも良いが２つ以上を設置しても良い。特に図１に示した実施例の如く、夾雑物捕捉部材４を２つ以上設置する場合には、各夾雑物捕捉部材４ａ，４ｂを互いに少し離間させて設置する同時に、各夾雑物捕捉部材４ａ，４ｂの捕捉メッシュを違えて捕捉メッシュの大きさ順、例えば捕捉メッシュの大きいもの（荒目）を開口部側に配置し捕捉メッシュの小さいもの（細目）を排水口２側に配列するようにすることが好ましい。この際、例えば餅焼き網のように平らに形成した比較的目の細かい夾雑物捕捉部材をストレーナ本体１の底部側に設置し、その上部位置に少し離して、籠形状に形成された比較的目の荒い夾雑物捕捉部材を設置することも考えられる。
【００１６】
更にストレーナ本体１の内部には、油分吸着フィルタ５を設ける。油分吸着フィルタ５は、排水や夾雑物に混じってストレーナ本体の内部に侵入してきた油分を吸着するためのものであり、油分を吸着し得るものであればその材質や形状を問わず市販されているものを使用し得る。油分吸着フィルタ５として例えば、天然繊維または合成繊維からなるシート状或いはマット状に形成されたものなどを挙げることができる。
ここで、油分吸着フィルタ５をストレーナ本体１の内部に設置する場合、ストレーナ本体１の底壁部１ｂ上に直に設置しても良いし、ストレーナ本体１の内部中間位置に水平状ないし少し傾斜した状態に設置しても良い。但し、ストレーナ本体１の内部中間位置に設置する場合には、夾雑物捕捉部材４と少し離間させ且つ夾雑物捕捉部材４よりは排水口２側に配置することが好ましい。
【００１７】
また、ストレーナ本体１には、ストレーナ本体１に開口された排水口２を通して排水路ないし排水桝Ａから立ち上って来る臭気を遮断するための臭気止め蓋３が開閉自在に設けられる。
ストレーナ本体１の排水口２を通して立ち上って来る排水路ないし排水桝Ａからの臭気を臭気止め蓋３で遮断する構造・機構はいろいろと考えられるが、図１及び図２に示した実施例のものは、臭気止め蓋３をストレーナ本体１と同様の気体及び液体を通さない材料で形成された平板を用いて排水口２より少し大きな矩形形状に形成し、排水口２の上部口縁に蝶番８でもって開閉自在に取り付けることにより、通常時には臭気止め蓋３の自重でもってストレーナ本体１の排水口２が閉じられて、排水路ないしは排水桝Ａから立ち上る臭気を遮断し得るように形成されている。
【００１８】
また、ストレーナ本体１の側壁部１ａには、前記排水口２よりも上部位置にオーバーフロー用排水口６が開口形成され、その排水口６には前記排水口２と同様に、排水路ないし排水桝からの臭気を遮断するための臭気止め蓋７が開閉自在に設けられる。
この臭気止め蓋７でもって排水路ないし排水桝からの臭気を遮断する構造・機構は、前述の臭気止め蓋３と同様のものを採用しえる。
【００１９】
更に、ストレーナ本体１の上部開口部分には、排水及び夾雑物は通すがストレーナ本体１の内部を目視されないようにするための目隠し部材９が設けられる。
目隠し部材９としては、例えばストレーナ本体１の上部開口とほぼ同形に形成された１枚の金属板をその中央部で左右に揺動ないし回転するように支承設置されたものや、図２に示した実施例の如く、独立して揺動ないし回転するように支承設置された複数の金属製又は樹脂製の短冊片９ａ，９ｂ，…を並行に配列して形成されたもの等が考えられる。
そして、複数の短冊片９ａ，９ｂ，…を並行に配列して目隠し部材９を形成する場合、各短冊片９ａ，９ｂ，…を同じ高さに配置して並行に配列しても良いし、隣接する短冊片９ａ，９ｂ，…を例えば外側から中央に向かって少しずつ高さを違え段差をつけて側面から見たときに略Ｖ字形になるように配置して並行に配列しても良い。
【００２０】
なお、図中の符号１０で示されたものは、夾雑物捕捉部材４を通り抜けてきた土砂等が排水路ないし排水桝Ａに流出しないように堰き止めておくための泥止め壁である。
【００２１】
而して、本排水用ストレーナを排水路ないし排水桝Ａに設置する場合、図示実施例の如く、ストレーナ本体１の上部開口部の外周縁に、排水路ないし排水桝Ａの上部開口部分に形成された桝蓋設置用段部Ａ１に取外し可能に載承されるフランジ１ｃを水平方向に一体的に延設せしめ、そのフランジ１ｃを介して直接排水路ないし排水桝Ａの桝蓋設置用段部Ａ１に設置される場合と、排水路ないし排水桝Ａの上部開口部分とほぼ同じ大きさに略浅い皿状に形成されその中央部に開口が形成された目隠し兼用連結プレート（図示せず）を用い、この目隠し兼用連結プレートを介して排水路ないし排水桝Ａの桝蓋設置用段部Ａ１に設置される場合とがある。後者の設置構造において、ストレーナ本体１と目隠し兼用連結プレートとを連結する構造としては、ストレーナ本体１の上部開口外周縁と目隠し兼用連結プレートの開口口縁とを捻子やボルト・ナットで連結しても良いし、目隠し兼用連結プレートの上方からストレーナ本体１を落とし込んでストレーナ本体１の上部開口外周縁を目隠し兼用連結プレートの開口口縁に係合係止させた構造としても良いし、或いは兼用連結プレートの開口部外側にスライド係合溝を形成せしめて、そのスライド係合溝にストレーナ本体１の上部開口外周縁をスライド係合させた構造としても良い。
【００２２】
更に、ストレーナ本体１及び目隠し兼用連結プレートには、これらを排水路ないし排水桝Ａから取り出したり設置し易くするために、必要に応じて取っ手１１を一体または取外し可能に設けることが好ましい。取っ手１１としては、図２に示す如く、周知のバケツの取っ手のようにアーチ型に形成して回動自在に取り付けても良いし、或いは両手鍋の取っ手のようなものをストレーナ本体１や目隠し兼用連結プレートの上部に固定状に取り付けても良い。更に、真っ直ぐな棒材を１本又は２本以上を用いてストレーナ本体１や目隠し兼用連結プレートの上部に固定状若しくは取外し可能に取り付けることも考えられる。
【図面の簡単な説明】
【００２３】
【図１】本考案に係る排水用ストレーナの実施の一例を示し、排水桝に設置した状態を説明する断面図。
【図２】本考案に係る排水用ストレーナの他の実施例を示す斜視図。
【符号の説明】
【００２４】
Ａ：排水路ないし排水桝        Ａ１：桝蓋設置用段部
Ｂ：桝蓋
１：ストレーナ本体            １ａ：側壁部
１ｂ：底壁部                  １ｃ：フランジ
２：排水口                      ３：臭気止め蓋
４：夾雑物捕捉部材              ５：油分吸着フィルタ
６：オーバーフロー用排水口
７：臭気止め蓋                  ８：蝶番
９：目隠し部材                １０：泥止め壁
１１：取っ手
【図１】
0003118235.tif 000003
【図２】
0003118235.tif 000004